(57)【要約】      （修正有）【課題】トイレットペーパーを全て片手で用意出来るようにする、片手処理器を提供する。【解決手段】ペーパーホルダーからトイレットペーパーを引き出して二本の平行なバーを回転して巻き取るトイレットペーパー片手処理器において、該二本のバーの両方又は一方が変角機能を持ち平行の内側に変角可能とする。【選択図】図１
0003176053.tif 000002
【実用新案登録請求の範囲】
【請求項１】
ペーパーホルダーからトイレットペーパーを引き出して二本の平行なバーを回転して巻き取るトイレットペーパー巻き取り器を備えたトイレットペーパー片手処理器において、該二本のバーの両方又は一方が変角機能を持ち平行の内側に変角可能であることを特徴とするトイレットペーパー片手処理器。
【考案の詳細な説明】
【技術分野】
【０００１】
本発明は脳梗塞等を患い、半身不随になった人、もしくは片手しか使えない人に下処理に必要なペーパーの巻き取りと抜き取りの一連の作業を全て片手で出来るようにした、トイレットペーパー片手処理器に関するもの。
【背景技術】
【０００２】
従来脳梗塞等を患い、半身不随になった人が、下処理を行う際に、半身は健全な場合は、残りの片手のみでトイレットペーパーを用意しなければならず、片手で用意する事は困難で、介護する側にとっても下処理を全て介護する事になり大変な作業になった。
半身が不自由になった人がトイレットペーパーを用意して終わるまでの一連の作業を全て片手で済ますという事は大変困難を極めた。折り重ねて作業する機械装置ものはあったがモーターを使用したり特殊な形状のものを用意しなければならず完成体を市場に出すのは困難で高価なものになり、巻き取るアイデアも色々出ているが、巻き取ったペーパーをどうやって抜き取るのかは、はなはだ疑問に思えるアイデアもある。
【先行技術文献】
【特許文献】
【０００３】
【特許文献１】特開２００７−１０５３２号公報
【特許文献２】特開２００１−１４９２６０号公報
【考案の概要】
【考案が解決しようとする課題】
【０００４】
従来より次の様な問題点があった、脳梗塞等を患い、半身不随になった人が健全なもう一方の手でトイレットペーパーを用意して下処理を全て行う事は大変困難を生じ、介護される側も、ほんの少し前まで自分で当たり前の様に出来ていた事が人を頼らなければ出来なくなるという現実は、健常者が考える以上にストレスのたまる物であると推察される。
【０００５】
最近増えている老々介護においても、体の小さい妻が、大きい夫を汗だくで体を支え立位を促し、下半身の処理をする事は大変困難を生じる作業であった。
【０００６】
片手でペーパーを破り取るための道具はすでにあるし、巻き取るアイデアも折りたたむアイデアも多く出されているが、それを安価に出来なければ市場に出す事が困難になる。又巻き取りも本人の好みの長さつまり片手になる前の状況を作る事でより使い易い物にできる。
【０００７】
先行技術ですでに電動でペーパーを折りたたみ処理する物はあるし、巻き取るアイデアも多く出されているが、特殊な形状を持つと市場に出すのが困難になる、いかに安価な上にも安価に仕上げるか、又自分が以前していたのと同じ状況を作る為あえて巻き取り式にこだわり好みの状態、使い勝手のいい状態で最終の作業が簡単に出来る様に仕上げるかを最大の問題点にして解決されなければいけない課題があった。
【課題を解決するための手段】
【０００８】
上記の問題点を解決する為に、ペーパーホルダーからトイレットペーパーを引き出して二本の平行なバーを回転して巻き取るトイレットペーパー巻き取り器を備えたトイレットペーパー片手処理器において、該二本のバーの両方又は一方が変角機能を持ち平行の内側に変角可能であることを特徴とするトイレットペーパー片手処理器である。
より詳しくは、巻き取りから、抜き取り、破り取りを健全なもう一方の片手を使い全てを片手作業で済ます事が出来るようにし、又巻き取りの厚さも回す回数により好みのままに出来る、又一番に考慮されるべきは単に処理できればいいと言うのではなく以前使用していたのと同じ様な状況を作り出すため折りたたむのでなく巻き取る方法を選択し、巻き取ったものをいかに簡単に抜き取れるが、その時の状況に合わせ一連の動きが片手で出来る様にするか、又本人が望めば電動も可能であるが最大の課題で解決されるべきは、いかに安価に仕上げるかで、その為特殊な形状を求めず市販の在り来たりの物で完成形を目指す様にしたものである。そして、巻き取りの長さを長くしようとすれば巻く部分の直径を長くすればよいが、長くすれば今まで通りにトイレットペーパーを壁に向かって平行に取り付けると、装置がかなり壁から飛び出してしまうので、狭いトイレでは邪魔になった、そこでトイレットペーパーを壁に向かって、垂直に取り付ける様にするが短い場合は今まで通り並行につけてもかまわないし、要介護者が望めば今まで通りに横向きに取り付けも可能である。
【０００９】
巻き取りの始めは、巻き取り棒とそこに硬質ゴムを取り付けて、ゴムと巻き取り棒の間にペーパ  
ーの最初の部分を挟みこみ、巻き取りを始める行為を片手で出来、ロックを外せば巻き取った二本のバーが内向きに変角可能であり片手で簡単に抜き取る事が出来る。
【考案の効果】
【００１０】
本発明は脳梗塞等を患って半身が不随になった人や麻痺等で片手しか使えない人が、トイレに行った際、片手で作業をせざるを得ない状況であるが、全ての処理が終わるまで、今のペーパーホルダーでは片手で済まそうとする事は大変厄介な作業である、その巻き取りから、それを抜き取り、破り取るまでの一連の作業を全て片手で済ます事が出来る様にした物で、半身不随になった人になるべる自立を促す為に必要とされる物である。又少しでも手が動く人であれば不自由な方の手で巻き取りを成し、手の訓練も出来る。その上出来るだけ安価に安価にと言う最大の課題を解決する為にありきたりの市販の物で完成形を目指した物である。
【図面の簡単な説明】
【００１１】
【図１】図１はこの考案の構成を示す斜視図である。
【図２】図２はこの考案の構成を示す分解斜視図である。
【図３】図３は巻き取り体のロック機構の構造詳細図である。
【図４】図４はこの考案の構成を示す斜視図である。
【図５】図５はこの考案の構成を示す分解斜視図である。
【考案を実施するための形態】
【００１２】
以下、本考案を図面に基づいて説明する。
【実施例１】
【００１３】
基本的にトイレットペーパーを差込む３の部分と巻き取り体２の部分からなり、１９を取り外し出来る様にして３にトイレットペーパーを差込める様にしてある。差込んだ後１９をはめ込みペーパーのセットを終了する。  
【００１４】
１８はペーパーのカバーであり、８のカッターを取り付け、８は９の重り付きペーパーカッターで空回りを防止する様にしてある。以上がペーパーホルダー部分である。
【００１５】
２はペーパー巻き取り部分の回転体であり４と５の棒が付いていて、この棒にペーパーを巻き取る様にする、４と５は２の板に内向きに変角可能に取り付けてあり、４６、４７の様に内向きに変角する様に取り付けられてあり、１１は４と５が巻き取るときに内向きに変角しない様にロックする板であり１２に固定してある。
【００１６】
２の回転体はなかのギャーに連動し左回りの一方向にしか動かない、但し２０Ａマイナス２０Ｂの隙間分の幅のみ右に動いて１１のロックから外れる。又全てにモーターを付けて電動にする事も可能である。
【００１７】
以下、実施例１の使用法を説明する。
図１はこの発明の構成を示す斜視図であり、１は壁面に取り付ける基本となる板であり、全ての器具がこの底板に取り付けてあるが、巻き取り体だけを別につくり既存のホルダーのそばに取り付けてもかまわない。
【００１８】
トイレットペーパーを、在来のペーパーホルダーの様に、壁面に向かって平行に取り付けるので
はなく、巻き取りがし易いように、壁面に向かって図１の様に垂直方向１に設置すると壁からの飛
び出しが少ないが好みによって今まで通りに取り付けてもかまわない、但しそれによって必要以上
に巻き取り器が壁から飛び出し、邪魔になるのを防ぐ目的であるが、要介護者の作業しやすくなる
方向で良い。
【００１９】
図１の３部分にトイレットペーパーを差し込み設置する為の心棒を取り付け、トイレットペーパーを差し込む、これが今までのトイレットペーパーホルダーの役目をし、破り取る板８を取り付け、在来の破り取りの器具を取り付ける、これは在来の破り取りの器具は巻き取り時に、ペーパーが空回りしないようにする錘の役目が主になるが破り取りを付けずに錘になる物を付けて破りやすくしてもかまわない。
【００２０】
巻き取り体２は、トイレットペーパーから離れたところに、設置しそれ自体７を中心に回転する様にする。７中心にした回転体を取り付けその両端に巻き取りの為の棒４と５を取り付け、５側の巻き取り棒の横にペーパーを挟む硬質のゴムを取り付ける。巻き始めは硬質ゴムをめくり回転棒とゴム６の間にペーパーの端を挟みこむ、それが巻き取りの初めになる。
【００２１】
２の回転体は一方向とし、逆方向には回転しないように設定するが、２０Ａと２０Ｂの隙間分のみ反対に回る。その時にロックが外れる。
【００２２】
巻き取りは、４又は５の棒を持ち決まった方向に巻き取る。適度に巻き取った後ロックを外すと４と５の巻き取り棒がラブラブに内向きに変角し、巻き取ったペーパーが簡単に抜き取れる。
【００２３】
抜き取ったペーパーは、破り取る、又既存にある破り取り、又は新たに発明された片手破り取りの為の器具を取り付けても構わない。
【実施例２】
【００２４】
実施例１と同じく、トイレットペーパーを差し込む２７の部分と巻き取り２６の部分からなる。
【００２５】
４１を取り外し出来る様にして２７にトイレットペーパーを差し込める様にしてある。差し込ん
だ後４１をはめ込みペーパーのセットを終了する、４０はペーパーカバーであり、３２のカッター部分を取り付ける。
【００２６】
３３は３２の重り付きペーパーカッターで空回りを防止する様にしてある。ペーパーカッターは
直線状にしてあり、抜き取ったペーパーカッターの付け根の方に引くと簡単に破り取れる、以上が
ペーパーホルダー部分である。
【００２７】
２６はペーパー巻き取り部分の回転体であり２８と２９の棒が２８Ａと２９Ａの穴に取り付けて
あり、この棒にペーパーを巻き取るようにする。
【００２８】
２８と２９は２６の板にカタカナのハの字になる様に、ブラブラ動くように取り付けられていて
３５は２８と２９が巻き取るときにブラブラ動かない様にロックする板であり３７のギャーの穴
に設置してある。２６の回転体は中のギャーに連動し一方向にしか動かない様にしておくとペーパーがゆるまなくて使いやすい。
【００２９】
以下本発明の実施例２の使用法を説明する  
図１はこの発明の構成を示す斜視図であり、１は壁面に取り付ける基本となる板であり、全ての器
具がこの底板に取り付けてある。
【００３０】
実施例１と同じくトイレットペーパーを在来のペーパーホルダーの様に、壁面に向かって平行に取り付けても巻き取りがし易いように、壁面に向かって垂直方向に設置してもかまわない、但しそれによって必要以上に巻き取り器が壁から飛び出し、邪魔になるのを防ぐ目的であるが、要介護者の作業しやすくなる方向が良い。
【００３１】
図４の２７部分にトイレットペーパーを差し込み心棒に設置する、これが今までのトイレットペーパーホルダーの役目をし、破り取り板を取り付ける。在来の破り取りの器具は巻き取り時に、ペーパーが空回りしないようにする錘の役目が主になるが破り取りを付けずに、錘になる物を付けてもかまわない。ここまでは実施例１と同じである。
【００３２】
巻き取る所２６は、トイレットペーパーから離れたところに設置しそれ自体３１を中心に回転する様にする。３１部分を中心とした。回転体を取り付けその両端に巻き取りの為の棒２８と２９を取り付け、２９の方の巻き取り棒の横にペーパーを挟む硬質のゴム３０を取り付け、ペーパーの端を挟み込む。
【００３３】
２６の回転体は一方向とし、逆方向には回転しないように設定する方が要介護者にとって扱い易いように感じる、巻き取る前に手動でロックをかけて巻き取る。ロック機構は図で示す。
【００３４】
巻き取りは、２８と２９に巻き取り、巻き終わると手動でロックを外す。ロックが外れると２８と２９の巻き取り棒は、内向きに変角し、巻き取ったペーパーはたやすく抜ける。
【００３５】
抜き取ったペーパーは、破り取りに挟み込み破り取る、又は既存にあり、新たに発明された片手破り取りの為の器具を取り付けても構わない。破り取る方法は幾らでも考えられる。
【符号の説明】
【００３６】
１    取り付け底板
２    巻き取り回転体
３    トイレットペーパー設置棒
４    巻き取り棒
４Ａ  巻き取り棒設置の穴
５    巻き取り棒
５Ａ  巻き取り棒設置の穴
６    硬質ゴム（巻き取る最初に５とゴムの間にペーパーを挟む）
７    ボルト穴（巻き取り体の設置の中心穴）
８    破り取りの板
９    破り取り板に取り付いたペーパーの空回り防止の重り
１０    硬質ゴム設置穴
１１    巻き取り棒のロック機構
１２    右に少し回し（２０Ｂの巾−２０Ａの中の隙間分）ロックを外す回転体
１３    ロック解除の回転体の入る穴
１４    反対方向回転防止のギャー
１５    ギャーの設置穴
１６    ギャーの反対方向回転防止板
１７    巻き取り棒設置の芯棒
１８    ペーパーカバー
１９    ペーパー設置板
２０    ２０Ａ  逆回転ストップの凸部
２０Ｂ  逆回転さす、隙間凹部
２１    ロールペーパー設置部
２２    巻き取り棒は内向きに変角する移動する詳細
２３    巻き取り棒設置の芯棒を通す溝
２５    取り付け底板
２６    巻き取り回転体
２７    トイレットペーパー設置棒
２８    巻き取り棒
２８Ａ  巻き取り棒設置の穴
２９    巻き取り棒
２９Ａ  巻き取り棒設置の穴
３０    硬質ゴム（巻き取る最初に５とゴムの間にペーパーを挟む）
３１    ボルト穴（巻き取り体の設置の中心穴）
３２    破り取りの板
３３    破り取り板に取り付けたペーパーの空回り防止の重り
３４    硬質ゴム設置穴
３５    巻き取り棒のロック機構（手動でロックとロック解除をする）
３６    反対方向回転防止のギャー
３７    ギャーの設置穴
３８    ギャーの設置穴
３９    巻き取り棒設置の芯棒
４０    ペーパーカバー
４１    ペーパー設置板
４２    ペーパー差込棒
４３    トイレットペーパーの位置
【図１】
0003176053.tif 000003
【図２】
0003176053.tif 000004
【図３】
0003176053.tif 000005
【図４】
0003176053.tif 000006
【図５】
0003176053.tif 000007